(57)【要約】【課題】  乾燥しやすい土壌の保水および給水と低地での排水とを、設置が簡単にできるユニットの提供と土壌の保水、給水および排水の方法とを課題とした。【解決手段】  円筒の開口部の一方を塞いだ閉塞部（３）と、他方の開口部（１）の端部側面に給排水用のパイプを通すための２箇所から８箇所の穴（２）から成る保水給水排水ユニットを提供し、保水給水排水ユニットを単体で一定間隔に埋設するか、または保水給水排水ユニットに給排水用のパイプ（４）を通して一定間隔で埋設し、保水、給水および排水を調整する方法により、保水給水排水ユニット上部周辺の土壌の水分量を管理する。地盤の安定性と保水性を保つために、保水給水排水ユニット内には充填材（６）として土、木材チップ、スポンジその他の多孔質材や保水材を充填する。【選択図】図５
2007143538.tif 000002
【特許請求の範囲】
【請求項１】
円筒の開口部の一方を塞いだ閉塞部（３）と、他方の開口部（１）の端部側面に給排水用のパイプ（４）を通すための２箇所から８箇所の穴（２）から成る保水給水排水ユニット。
【請求項２】
請求項１の保水給水排水ユニットを単体で一定間隔に埋設するか、または保水給水排水ユニットに給排水用のパイプを通して一定間隔で埋設し、保水、給水および排水を調整することにより、保水給水排水ユニット上部周辺の土壌の水分量を管理する方法。
【発明の詳細な説明】
【技術分野】
【０００１】  本発明は、円筒の開口部の一方を塞ぎ、開口部の他方の端部側面に２箇所から８箇所の穴を開け、パイプを通すことを可能にした土壌の保水給水ユニットと土壌の保水、給水および排水の方法に関するものである。
【背景技術】
【０００２】  従来、土壌への給水や保水には、水路を張り巡らしたり、散水設備を設置したり、防水シートを埋設している。
また、低地での排水には、大規模な地下水路を造ったり、井戸を掘ってポンプなどで水を吸い上げたりしていた。
【発明の開示】
【発明が解決しようとする課題】
【０００３】  世界各地において、地下水の汲み上げ過ぎや年間降水量の低下などにより土壌への水の供給不足による土壌の乾燥化が問題となり、作物生産量に大きな打撃を与えている。
作物は主に根から水分や養分を吸い上げて生長していくので、根の周辺の水分量は作物が成長するための大きな因子となっている。
一方、根の周辺の水分量が多すぎる場合には、作物によっては根が腐ってしまうことがある。【０００４】  そこで、本発明は、根の周辺の土壌の水分量を調節するための保水作用、給水と排水とを同じ構造体で行うことができ、設置が容易な保水給水排水ユニットの提供を課題とした。
【課題を解決するための手段】
【０００５】  円筒の開口部の一方を塞いだ閉塞部（３）と、他方の開口部（１）の端部側面にパイプ（４）を通すための２箇所から８箇所の穴（２）から成る保水給水排水ユニットとした。【０００６】  やや乾燥し易い土壌に保水効果を持たせるため保水給水排水ユニットを作物の根の広がり方に合わせた深さに埋設し、地上より散水する。【０００７】  非常に乾燥しやすい土壌では保水効果に加えて地下から給水するためのパイプ（４）を保水給水排水ユニットの穴（２）に通して一定間隔で保水給水排水ユニットを埋設する。保水給水排水ユニット内のパイプ（４）に給排水口（５）を１箇所から数箇所施し、ポンプにて給水する。【０００８】  低地での土壌の水分量を減少させるためには、保水給水排水ユニットを開口部（１）が下向きになるように設置し、排水するためのパイプ（４）を保水給水排水ユニットの穴（２）に通して一定間隔で保水給水排水ユニットを埋設する。保水給水排水ユニット内のパイプ（４）に給排水口（５）を１箇所から数箇所施し、ポンプにて排水する。【０００９】  地盤の安定性と保水性を保つために、保水給水排水ユニット内には充填材として土、木材チップ、スポンジその他の多孔質材や保水材を充填する。
【発明の効果】
【００１０】  やや乾燥し易い土壌に保水効果を持たせるため保水給水排水ユニットを作物の根の広がり方に合わせた深さに埋設し、地上より散水することにより開口部（１）から水が保水給水排水ユニット内に保水され、蒸散作用により保水給水排水ユニット上部周辺の水分量が、保水給水排水ユニットを埋設していない土壌よりも明らかに湿り気が保たれていた。
また、水量が多い場合においては保水給水排水ユニットの開口部（１）または使用していない給排水パイプ用の穴（２）からオーバーフローするので湿地化することがなかった。【００１１】  非常に乾燥しやすい土壌では保水効果に加えて地下から給水するためのパイプ（４）を保水給水排水ユニットの穴（２）に通して一定間隔で保水給水排水ユニットを埋設する。保水給水排水ユニット内のパイプ（４）に給排水口（５）を１箇所から数箇所施し、ポンプにて給水することで、乾燥の度合いに合わせて給水することができた。【００１２】  低地での土壌の水分量を減少させるためには、保水給水排水ユニットを開口部（１）が下向きになるように設置し、排水するためのパイプ（４）を保水給水排水ユニットの穴（２）に通して一定間隔で保水給水排水ユニットを埋設する。保水給水排水ユニット内のパイプ（４）に給排水口（５）を１箇所から数箇所施し、ポンプにて排水することで、保水給水排水ユニット、上部の土壌の湿地化を改善できた。
【発明を実施するための最良の形態】
【００１３】    図２で示す形態を最良の形態とする。すなわち、円筒の開口部の一方を塞いだ閉塞部（３）と、他方の開口部（１）の端部側面に給排水用のパイプ（４）を通すための２箇所から８箇所の穴（２）から成る保水給水排水ユニットとする。【００１４】  やや乾燥し易い土壌に保水効果を持たせるため保水給水排水ユニットを作物の根の広がり方に合わせた深さに埋設し、地上より散水する。【００１５】  非常に乾燥しやすい土壌では保水効果に加えて地下から給水するためのパイプ（４）を保水給水排水ユニットの穴（２）に通して一定間隔で保水給水排水ユニットを埋設する。保水給水排水ユニット内のパイプ（４）に給排水口（５）を１箇所から数箇所施し、ポンプにて給水する。【００１６】  低地での土壌の水分量を減少させるためには、保水給水排水ユニットを開口部（１）が下向きになるように設置し、排水するためのパイプ（４）を保水給水排水ユニットの穴（２）に通して一定間隔で保水給水排水ユニットを埋設する。保水給水排水ユニット内のパイプ（４）に給排水口（５）を１箇所から数箇所施し、ポンプにて排水する。【００１７】  地盤の安定性と保水性を保つために、保水給水排水ユニット内には充填材として土、木材チップ、スポンジその他の多孔質材や保水材を充填する。
【実施例１】
【００１８】  図１、図２および図３に示された保水給水排水ユニットを単体で一定間隔に埋設するか、または保水給水排水ユニットに給排水用のパイプを通して一定間隔で埋設する。
【実施例２】
【００１９】  図４、図５、図６および図８は、タイヤを加工して保水給水排水ユニットとした例である。すなわち、タイヤの片側開放部をゴム円盤またはゴム円錐板などで塞ぎ、閉塞部（３）とし、反対側の開放部（１）の同じ面に０から８箇所の穴（７）を開け、側面に給排水パイプ用の穴（２）を開け、タイヤの内部空間に充填材（６）を充填する。
【産業上の利用可能性】
【００２０】  本発明の保水給水排水ユニットを用いた土壌の保水、給水および排水の方法は、農耕地の保水、給水および排水に有用である。【００２１】  本発明の保水給水排水ユニットは古タイヤを加工しても製造できるため、古タイヤの再利用に有用である。
【図面の簡単な説明】
【００２２】
【図１】保水給水排水ユニットの上方からの平面図である。
【図２】保水給水排水ユニットの側面図である。
【図３】保水給水排水ユニットの下方からの平面図である。
【図４】タイヤを加工した保水給水排水ユニットの上方からの平面図である。
【図５】タイヤを加工した保水給水排水ユニットの側面図である。
【図６】タイヤを加工した保水給水排水ユニットの下方からの平面図である。
【図７】パイプの平面図である。
【図８】加工したタイヤの断面図である。
【符号の説明】
【００２３】  １    開口部
２    穴
３    閉塞部
４    パイプ
５    給排水口
６    充填材
７    穴
【図１】
2007143538.tif 000003
【図２】
2007143538.tif 000004
【図３】
2007143538.tif 000005
【図４】
2007143538.tif 000006
【図５】
2007143538.tif 000007
【図６】
2007143538.tif 000008
【図７】
2007143538.tif 000009
【図８】
2007143538.tif 000010
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
円筒の開口部の一方を塞いだ閉塞部（３）と、他方の開口部（１）の端部側面に給排水用のパイプ（４）を通すための２箇所から８箇所の穴（２）から成る保水給水排水ユニット。
【請求項２】
請求項１の保水給水排水ユニットを単体で一定間隔に完全に埋設するか、または保水給水排水ユニットに給排水用のパイプを通して一定間隔で完全に埋設し、保水、給水および排水を調整することにより、保水排水給水ユニット開口部からの水分の蒸散作用により保水給水排水ユニット上部周辺の土壌の水分量を管理する方法。
【請求項３】
円筒の開口部の一方を塞いだ閉塞部（３）と、他方の開口部（１）の端部側面に給排水用のパイプ（４）を通すための２箇所から８箇所の穴（２）から成る構造体に保水材を充填したことを特徴とする保水給水排水ユニット。